(57)【要約】【課題】印刷機の印刷摸擬方法及び装置に関し、インキ供給ゾーン毎のインキ供給量調整を模擬してより忠実にモニタ画面に表示して、インキ供給量の調整をした場合の印刷色のマッチング判断を容易に且つ適正に行なうことができるようにする。【解決手段】印刷絵柄のデータを印刷機の印刷特性に基づいて印刷機の発色状態に変換し模擬表示絵柄としてモニタ画面に表示する印刷絵柄表示ステップと、印刷機のインキ供給ゾーン毎のインキ供給量調整によるインキ膜厚（ベタ濃度）変化に対応したインキ色の濃度変化を模擬して、模擬表示絵柄の発色状態を補正する発色補正ステップと、をそなえ、発色補正ステップでは、模擬表示絵柄における各インキ供給ゾーンの隣接するインキ供給ゾーンとの境界付近では、境界での濃度（インキ膜厚）変化を低減する濃度変化低減処理を行なう。【選択図】図４
2010017902.tif 000002
【特許請求の範囲】
【請求項１】
印刷に用いる印刷機の印刷特性に基づいて、前記印刷機で印刷される印刷絵柄のデータを前記印刷機の発色状態に変換し、模擬表示絵柄画像としてモニタ画面に表示する印刷絵柄表示ステップと、
前記印刷機のインキ供給ゾーン毎のインキ供給量調整によるインキ膜厚変化に対応した印刷紙面上でのインキ色の濃度変化を模擬して、前記模擬表示絵柄画像の発色状態を補正する発色補正ステップと、をそなえ、
前記発色補正ステップでは、前記印刷機のインキ供給量の調整に対するインキ色の濃度変化の特性に基づいて前記模擬表示絵柄画像の前記各インキ供給ゾーンの発色状態を補正すると共に、該模擬表示絵柄画像における前記各インキ供給ゾーンの隣接するインキ供給ゾーンとの境界付近では、該境界での前記インキ膜厚変化に対応する前記濃度変化を低減する濃度変化低減処理を行なう
ことを特徴とする、印刷機の印刷摸擬方法。
【請求項２】
前記のインキ供給ゾーン毎のインキ供給量調整は、前記印刷機の実際のインキ供給量調整を模擬した模擬調整を含んでいる
ことを特徴とする、請求項１記載の印刷機の印刷摸擬方法。
【請求項３】
前記濃度変化低減処理は、前記境界を中心として前記印刷機のインキング装置の特性に応じて設定された処理範囲内において行なう
ことを特徴とする、請求項１又は２記載の印刷機の印刷摸擬方法。
【請求項４】
前記インキング装置の特性には、前記インキング装置に備えられるインキローラのうち軸方向に揺動する揺動ローラの揺動ストロークが含まれ、前記処理範囲は、前記境界から前記揺動ストロークと略対応した範囲である
ことを特徴とする、請求項３記載の印刷機の印刷摸擬方法。
【請求項５】
前記濃度変化低減処理は、隣接する第１及び第２のインキ供給ゾーンの前記処理範囲において、前記第１及び第２のインキ供給ゾーンの各インキ供給量調整に対するインキ色濃度を、予め設定された線形又は非線形のパターンにしたがって連続的に変化させる処理である
ことを特徴とする、請求項１〜４の何れか１項に記載の印刷機の印刷摸擬方法。
【請求項６】
前記のインキ色濃度を連続的に変化させる非線形パターンは、前記境界の近傍では変化率が大きく、前記境界から離隔した箇所では変化率が小さい特性を有している
ことを特徴とする、請求項５記載の印刷機の印刷摸擬方法。
【請求項７】
濃度変化低減のための濃度補正量を前記境界からの距離に対して規定した濃度変化低減関数を、各印刷条件に応じて複数備え、
前記発色補正ステップでは、前記複数の濃度変化低減関数のうちの前記印刷機で行なう印刷条件に応じた濃度変化低減関数を用いて前記濃度変化低減処理を行なう
ことを特徴とする、請求項１〜４の何れか１項に記載の印刷機の印刷摸擬方法。
【請求項８】
濃度変化低減のための濃度補正量を前記境界からの距離に対して規定した濃度変化低減関数を備え、
前記濃度変化低減関数は、印刷した印刷物をスキャナで取り込んで得られる画像情報に基づいて設定される
ことを特徴とする、請求項１〜７の何れか1項に記載の印刷機の印刷摸擬方法。
【請求項９】
濃度変化低減のための濃度補正量を前記境界からの距離に対して規定した濃度変化低減関数を備え、
前記濃度変化低減関数は、印刷紙面の巾方向に帯状のベタ或いは網点面積率がベタに近い帯を含む絵柄をモニタ画面上に表示させて、前記境界付近の印刷紙面上のインキ膜厚変化に対応した印刷紙面上のインキ濃度変化に基づいて設定される
ことを特徴とする、請求項１〜７の何れか1項に記載の印刷機の印刷摸擬方法。
【請求項１０】
前記発色補正ステップにより補正された発色状態に基づいて、前記印刷機で印刷するインキ色の目標濃度を設定する目標濃度設定ステップをそなえている
ことを特徴とする、請求項１〜９の何れか１項に記載の印刷機の印刷摸擬方法。
【請求項１１】
印刷に用いる印刷機の印刷特性に基づいて、前記印刷機で印刷される印刷絵柄のデータを前記印刷機の発色状態に変換して模擬表示絵柄画像としてモニタ画面に表示する印刷機の印刷摸擬装置であって、
前記印刷機のインキ供給ゾーン毎のインキ供給量調整によるインキ膜厚変化に対応した印刷紙面上でのインキ色の濃度変化を模擬して、前記模擬表示絵柄画像の発色状態を補正する発色補正手段をそなえ、
前記発色補正手段には、前記印刷機のインキ供給量の調整に対するインキ色の濃度変化の特性に基づいて前記模擬表示絵柄画像の前記各インキ供給ゾーンの発色状態を補正すると共に、該模擬表示絵柄画像における前記各インキ供給ゾーンの隣接するインキ供給ゾーンとの境界付近では、該境界での前記インキ膜厚変化に対応する前記濃度変化を低減する濃度変化低減処理を行なう濃度変化低減処理部がそなえられる
ことを特徴とする、印刷機の印刷摸擬装置。
【請求項１２】
前記モニタ画面に前記模擬表示絵柄画像を表示するモードとして、前記濃度変化低減処理部により前記濃度変化低減処理された発色状態で表示する第１表示モードと、前記濃度変化低減処理部により前記濃度変化低減処理される前の発色状態で表示する第２表示モードとをそなえ、
前記第１及び第２表示モードを選択操作する選択操作手段がそなえられている
ことを特徴とする、請求項１１印刷機の印刷摸擬装置。
【請求項１３】
印刷に用いる印刷機の印刷特性に基づいて、前記印刷機で印刷される印刷絵柄のデータを前記印刷機の発色状態に変換して模擬表示絵柄画像としてモニタ画面に表示する処理を、コンピュータを用いて行なうためのプログラムであって、
前記コンピュータを、
前記印刷機のインキ供給ゾーン毎のインキ供給量調整によるインキ膜厚変化に対応したインキ色の濃度変化を模擬して、前記模擬表示絵柄画像の発色状態を補正する発色補正手段として機能させると共に、
前記発色補正手段に含まれる機能であり、前記印刷機のインキ供給量の調整に対するインキ色の濃度変化の特性に基づいて前記模擬表示絵柄画像の前記各インキ供給ゾーンの発色状態を補正すると共に、該模擬表示絵柄画像における前記各インキ供給ゾーンの隣接するインキ供給ゾーンとの境界付近では、該境界での前記インキ膜厚変化に対応する前記濃度変化を低減する濃度変化低減処理を行なう濃度変化低減処理部として機能させる
ことを特徴とする、プログラム。
【発明の詳細な説明】
【技術分野】
【０００１】
本発明は、印刷機により目標色調に印刷できるように設定するために用いて好適の、実際の印刷をすることなく印刷機による印刷結果を模擬表示する方法及び装置並びにプログラムに関するものである。
【背景技術】
【０００２】
印刷技術において、印刷色を目標色に近づけることは極めて重要な課題である。特に、カラー印刷物の普及及びカラー印刷技術の向上により、オフセット印刷等を利用した商業的な印刷分野においては、印刷色調に対する要求がより厳しいものになっている。
商業的な印刷において、実際に印刷を行なって得られた印刷物をその印刷見本と比較して、印刷色と目標色との差が許容できなければ、例えばインキ供給量を調整して、再度印刷することで印刷色を目標色に近づけていくことはできるが、それでは、適切な色調の印刷物が得られるまでに、時間を要してしまい、また、損紙も多く発生することになる。
【０００３】
そこで、実際に印刷を行なわないで、例えば、モニタ画面（ディスプレイ）に印刷色調を模擬した画像を映し出して、この模擬画像を参照してインキ供給量を調整する等により、印刷開始前に印刷色を目標色に近づけることができ、印刷時間の短縮や損紙低減の効果を得ることができる（特許文献１参照）。
【特許文献１】特開２００７−２０８４９２号公報
【発明の開示】
【発明が解決しようとする課題】
【０００４】
ところで、オフセット印刷機等では、一般に、印刷幅方向に複数に分割されたインキ供給ゾーン単位でインキ供給が行なわれ、インキ供給量の調整もこのインキ供給ゾーン毎に行なわれる。例えば、インキキー方式のインキ供給装置の場合、印刷幅方向に複数並べて備えられた各インキキーの開度を調整してインキ供給量を調整するので、各インキキーに対応したインキ供給ゾーンが形成される。
【０００５】
そして、インキ供給ゾーンのインキ供給量を調整することにより印刷色調を変更させることができる。例えばあるインキ供給ゾーンのインキ供給量を増やせばそのインキ色の発色が強くなり、また、あるインキ供給ゾーンのインキ供給量を減らせばそのインキ色の発色が弱くなる。
インキ色の発色はインキ供給量に対応するが、インキ供給量に対してどのように発色するかは、使用する印刷機に応じたものになる。特に、カラー印刷の場合の発色は、プロセスインキの組み合わせによって決まるので、使用する印刷機に大きく左右される。そこで、使用する印刷機の発色特性（各インキ供給量に対する発色の特性）を予め取得しておけば、モニタに使用する印刷機の発色特性に応じた模擬画像を映し出すことができる。さらに、映し出した模擬画像に対して、模擬的にインキ供給量を調整できるようにして、この模擬調整に対して模擬画像の発色状態を印刷機の上記発色特性に対応させて変更させれば、インキ供給量の調整をも模擬して、実際の印刷を行なうことなく適切なインキ供給量を確かめることができ、より効果的である。
【０００６】
この場合、当然ながら模擬画像の発色状態は、インキ供給量を調整するインキ供給ゾーン毎に、インキ供給量の模擬調整に応じて変化させることになる。例えば図１２（ａ）は、ある印刷頁に対して印刷幅方向に１番目〜８番目の８つのインキ供給ゾーンに分割された場合のモニタに表示された模擬画像を示す図である。図１２（ａ）はｃ（シアン），ｍ（マゼンタ），ｙ（イエロー），ｋ（ブラック）のプロセスインキの組み合わせで構成されるカラー印刷絵柄に対応した模擬画像をモノクロ表示しているので、各インキ色の濃淡はわかり難いが、このように、インキ供給ゾーンにインキ供給量の模擬調整に応じて模擬画像の発色状態を変化させれば、適切なインキ供給量を確かめることができる。
【０００７】
しかしながら、実際の印刷機において、インキ供給ゾーン毎にインキ供給量を個別に調整したからといって、図１２（ａ）に示すように、インキ供給ゾーンの境界で明確な濃度差が生じることはない。つまり、印刷機では、インキ供給ゾーン毎に供給されたインキは、幾つかの揺動ローラによってローラ幅方向のインキ膜厚を均されながら刷版及びブランケットに到達するので、インキ膜厚がローラ幅方向に均一化すると共に、インキローラ上のインキ膜厚も薄膜となって印刷面に到達する。このため、図１２（ｂ）に示すように、インキ供給ゾーンの境界で明確な濃度差は生じない。
【０００８】
つまり、実際の印刷物では、キーゾーン境界においては急峻な濃度変化は発生しないが、各キーゾーン単位で調整したインキ供給量に従って単純にモニタ上で発色を模擬すると、このような発生し得ない急峻な濃度変化も生じる場合があり、本来、モニタ上で実際の印刷機による印刷結果の発色を模擬したいという目的を適切に達成することができなくなり、この印刷模擬を用いて印刷前からインキ供給量の適正化を図ろうとしてもこれを精度よく実現できない。
【０００９】
本発明は、このような課題に鑑み案出されたもので、実際の印刷機のインキ供給ゾーン毎のインキ供給量調整を模擬してより忠実にモニタ画面に表示することができるようにして、インキ供給量の調整をした場合の印刷色のマッチング判断を容易に且つ適正に行なうことができるようにした、印刷機の印刷摸擬方法及び装置並びにプログラムを提供することを目的とする。
【課題を解決するための手段】
【００１０】
上記目的を達成するために、本発明の印刷機の印刷摸擬方法（請求項１）は、印刷に用いる印刷機の印刷特性に基づいて、前記印刷機で印刷される印刷絵柄のデータを前記印刷機の発色状態に変換し、模擬表示絵柄画像としてモニタ画面に表示する印刷絵柄表示ステップと、前記印刷機のインキ供給ゾーン毎のインキ供給量調整によるインキ膜厚変化に対応した印刷紙面上でのインキ色の濃度変化を模擬して、前記模擬表示絵柄画像の発色状態を補正する発色補正ステップと、をそなえ、前記発色補正ステップでは、前記印刷機のインキ供給量の調整に対するインキ色の濃度変化の特性に基づいて前記模擬表示絵柄画像の前記各インキ供給ゾーンの発色状態を補正すると共に、該模擬表示絵柄画像における前記各インキ供給ゾーンの隣接するインキ供給ゾーンとの境界付近では、該境界での前記インキ膜厚変化に対応する前記濃度変化を低減する濃度変化低減処理を行なうことを特徴としている。
【００１１】
前記のインキ供給ゾーン毎のインキ供給量調整は、前記印刷機の実際のインキ供給量調整を模擬した模擬調整を含んでいることが好ましい（請求項２）。
前記濃度変化低減処理は、前記境界を中心として前記印刷機のインキング装置の特性に応じて設定された処理範囲内において行なうことが好ましい（請求項３）。
前記インキング装置の特性には、前記インキング装置に備えられるインキローラのうち軸方向に揺動する揺動ローラの揺動ストロークが含まれ、前記処理範囲は、前記境界から前記揺動ストロークと略対応した範囲であることが好ましい（請求項４）。
【００１２】
前記濃度変化低減処理は、隣接する第１及び第２のインキ供給ゾーンの前記処理範囲において、前記第１及び第２のインキ供給ゾーンの各インキ供給量調整に対するインキ色濃度を、予め設定された線形又は非線形のパターンにしたがって連続的に変化させる処理であることが好ましい（請求項５）。
前記のインキ色濃度を連続的に変化させる非線形パターンは、前記境界の近傍では変化率が大きく、前記境界から離隔した箇所では変化率が小さい特性を有していることが好ましい（請求項６）。
【００１３】
濃度変化低減のための濃度補正量を前記境界からの距離に対して規定した濃度変化低減関数を、揺動幅、印刷速度、インキ特性等の各印刷条件に応じて複数備え、前記発色補正ステップでは、前記複数の濃度変化低減関数のうちの前記印刷機で行なう印刷条件に応じた濃度変化低減関数を用いて前記濃度変化低減処理を行なうことが好ましい（請求項７）。
【００１４】
また、濃度変化低減のための濃度補正量を前記境界からの距離に対して規定した濃度変化低減関数を備える場合、前記濃度変化低減関数は、印刷した印刷物をスキャナで取り込んで得られる画像情報に基づいて設定されること（請求項８）あるいは、前記濃度変化低減関数は、印刷紙面の巾方向に帯状のベタ或いは網点面積率がベタに近い帯を含む絵柄をモニタ画面上に表示させて、前記境界付近の印刷紙面上のインキ膜厚変化に対応した印刷紙面上のインキ濃度変化を確認した結果に基づいて設定されること（請求項９）が好ましい。
【００１５】
また、前記発色補正ステップにより補正された発色状態に基づいて、前記印刷機で印刷するインキ色の目標濃度を設定する目標濃度設定ステップをそなえていることが好ましい（請求項１０）。
本発明の印刷機の印刷摸擬装置（請求項１１）は、印刷に用いる印刷機の印刷特性に基づいて、前記印刷機で印刷される印刷絵柄のデータを前記印刷機の発色状態に変換し、模擬表示絵柄画像としてモニタ画面に表示する印刷機の印刷摸擬装置であって、前記印刷機のインキ供給ゾーン毎のインキ供給量調整によるインキ膜厚変化に対応した印刷紙面上でのインキ色の濃度変化を模擬して、前記模擬表示絵柄画像の発色状態を補正する発色補正手段をそなえ、前記発色補正手段には、前記印刷機のインキ供給量の調整に対するインキ色の濃度変化の特性に基づいて前記模擬表示絵柄画像の前記各インキ供給ゾーンの発色状態を補正すると共に、該模擬表示絵柄画像における前記各インキ供給ゾーンの隣接するインキ供給ゾーンとの境界付近では、該境界での前記インキ膜厚変化に対応する前記濃度変化を低減する濃度変化低減処理を行なう濃度変化低減処理部がそなえられることを特徴としている。
【００１６】
前記モニタ画面に前記模擬表示絵柄画像を表示するモードとして、前記濃度変化低減処理部により前記濃度変化低減処理された発色状態で表示する第１表示モードと、前記濃度変化低減処理部により前記濃度変化低減処理される前の発色状態で表示する第２表示モードとをそなえ、前記第１及び第２表示モードを選択操作する選択操作手段がそなえられていることが好ましい（請求項１２）。
【００１７】
本発明のプログラム（請求項１３）は、印刷に用いる印刷機の印刷特性に基づいて、前記印刷機で印刷される印刷絵柄のデータを前記印刷機の発色状態に変換し、模擬表示絵柄画像としてモニタ画面に表示する処理を、コンピュータを用いて行なうためのプログラムであって、前記コンピュータを、前記印刷機のインキ供給ゾーン毎のインキ供給量調整によるインキ膜厚変化に対応したインキ色の濃度変化を模擬して、前記模擬表示絵柄画像の発色状態を補正する発色補正手段として機能させると共に、前記発色補正手段に含まれる機能であり、前記印刷機のインキ供給量の調整に対するインキ色の濃度変化の特性に基づいて前記模擬表示絵柄画像の前記各インキ供給ゾーンの発色状態を補正すると共に、該模擬表示絵柄画像における前記各インキ供給ゾーンの隣接するインキ供給ゾーンとの境界付近では、該境界での前記インキ膜厚変化に対応する前記濃度変化を低減する濃度変化低減処理を行なう濃度変化低減処理部として機能させることを特徴としている。
【発明の効果】
【００１８】
本発明の印刷機の印刷摸擬方法（請求項１）及び装置（請求項１１）並びにプログラム（請求項１３）によれば、印刷機による発色を模擬した模擬表示絵柄をモニタ画面に表示し、印刷機のインキ供給ゾーン毎のインキ供給量調整によるインキ膜厚変化に対応したインキ色の濃度変化を模擬して、模擬表示絵柄の発色状態を補正するので、インキ供給ゾーン毎のインキ供給量調整を実際には行なわずに模擬的に行なって、この場合に変化する印刷結果の色調を模擬表示絵柄の発色状態を通じて確認（マッチング判断）をすることができる。
【００１９】
特に、模擬表示絵柄の発色状態を補正する際に、印刷に使用する印刷機の印刷特性、つまり、当該印刷機においてインキ供給量の調整に対するインキ色の濃度変化の特性、に基づいて、模擬表示絵柄の各インキ供給ゾーンの発色状態を補正すると共に、模擬表示絵柄における各インキ供給ゾーンの隣接するインキ供給ゾーンとの境界付近では、境界での濃度変化を低減する濃度変化低減処理を行なうので、実際の印刷機のインキ供給ゾーン毎のインキ供給量調整をより忠実に模擬してモニタ画面に表示することができ、発色状態のマッチング判断をより正確に行なうことができる。
【発明を実施するための最良の形態】
【００２０】
以下、図面により、本発明の実施の形態について説明する。
まず、図１〜図１５を参照して本発明の実施形態を説明する。
本実施形態は、印刷に使用する印刷機の印刷特性を考慮することにより、使用印刷機により得られるだろう印刷対象絵柄の発色状況を模擬（シミュレーション）してモニタの画面に表示し、印刷絵柄の見本、いわゆる「持ち込みゲラ」を参照しながら、表示した画面の色調が持ち込みゲラの色調に近づくようにモニタ画面の発色を調整し、この時の調整量に応じて印刷時の色調の目標値を設定するものである。ここでは、新聞印刷システムを例に説明する。
【００２１】
〔新聞印刷システムの構成〕
図２に示すように、本実施形態にかかる印刷システムは、客先の製版側ＣＴＰサーバ１から印刷データを送信される品質制御装置画像サーバ２と、品質制御装置画像サーバ２と接続されたオペレーションターミナルパソコン３と、品質制御装置画像サーバ２及びオペレーションターミナルパソコン３と接続された輪転機側管理システムのＣＣＳ（コンピュータライズドコントロールシステム）パソコン４と、オペレーションターミナルパソコン３と接続された品質制御装置５と、品質制御装置５に接続され作動を制御される新聞輪転機（新聞用オフセット輪転機）６と、品質制御装置画像サーバ２及びオペレーションターミナルパソコン３と接続され新聞輪転機６による印刷をシミュレーションする印刷シミュレーション装置（絵柄色調制御用印刷模擬装置）７とを備えている。
【００２２】
なお、本発明には、新聞輪転機に限らず、他の種類の印刷機、例えば、枚葉印刷機や商業用オフセット輪転機など、インキ供給量をインキキーゾーンごとに調整可能な印刷機を用いても良い。
なお、本実施形態にかかる新聞輪転機６は、本社等の拠点にその新聞社の印刷の基準となる輪転機として配備される基準輪転機に相当するものとする。
【００２３】
はじめに新聞輪転機６を説明すると、本実施形態の新聞輪転機６は多色刷りの両面印刷機であり、給紙部１１とインフィード部（図示略）と印刷部１２とウェブパス部１３と折機１４と排紙部１５とをそなえ、給紙部１１から供給されるウェブ（連続紙、以下、印刷シートとも言う）１０に印刷部１２で印刷を行ない、ウェブパス部１３を経て折機１４でウェブ１０を切断して折りを行なって排紙部１５において排紙する。印刷部１２には、走行するウェブ１０の印刷部分の絵柄の発色状態としての実測色値を検出する測色計（検出手段）１６と、印刷部１２におけるインキ供給量（具体的にはインキキー）と湿し水とを制御する輪転機制御装置１７とを備えている。
【００２４】
なお、測色計（検出手段）１６について、ここではＩ（赤外光）、Ｒ（赤）、Ｇ（緑）、Ｂ（青）の反射濃度を計測するＩＲＧＢ濃度計として説明するが、測色値としては、色座標Ｌａｂ、ＸＹＺ、ＬｕｖなどのＣＩＥ（国際照明委員会）が提唱する色座標システムの値や分光反射率、濃度等を計測しても良い。
なお、以下の説明において、「濃度値」についても単に「濃度」と称する場合もある。
【００２５】
品質制御装置画像サーバ２は、客先の製版側ＣＴＰサーバ１から、印刷データとして高解像度の紙面イメージデータをTiff形式で送信されジョブ情報をXML形式で送信され、紙面イメージデータを印刷機で扱える所定の規格（例えばＣＩＰ４規格）のデータに変換する。なお、図示しないが、客先製版側ＣＴＰサーバ１からの紙面イメージデータに基づいてＣＴＰにより刷版が製版される。
【００２６】
オペレーションターミナルパソコン３は、品質制御装置画像サーバ２で所定の規格に変換された紙面イメージデータとジョブ情報とに基づいてインキ供給量をプリセットしたり制御したりするためのもので、インキ供給量調整により後述の色調制御を行なう際にオペレータが監視や指令等を行なうために用いられる。特に、タッチディスプレイ３ａをそなえ、タッチディスプレイ３ａの画面を見ながら、指令等を行なうことができる。
【００２７】
ＣＣＳパソコン４は、輪転機側の管理システムに供えられ、品質制御装置画像サーバ２で所定の規格データに変換された紙面イメージデータのページをどの印刷ユニットに割り付けるか等の処理や他の運転条件の入力などの処理を行なうためのものである。
品質制御装置５は、印刷時の自動制御を行なうためのもので、各印刷機のＩＲＧＢ濃度計１６から出力される紙面画像信号に基づいて各印刷機の色調自動制御にかかる制御量を算出するための演算装置５ａと、これらの演算装置５ａからの制御量情報や輪転機の状態信号や排紙部１５からのエンコーダ信号を入力され、色調自動制御にかかるインキキー制御信号，湿し水制御指令や、欠陥紙面排紙指令を出力し、各制御を行なう。
【００２８】
なお、オペレーションターミナルパソコン３は、品質制御装置５により制御に関する各種の設定を行なうことができ、オペレーションターミナルパソコン３及び品質制御装置５から印刷自動制御装置８が構成されている。
【００２９】
〔印刷シミュレーション装置〕
印刷シミュレーション装置（印刷模擬装置）７は、画像を表示するモニタ（表示装置）７ａと、このモニタ７ａに表示する画像を演算する演算装置７ｂと、をそなえている。演算装置７ｂは、新聞印刷システムの品質制御装置画像サーバ２に接続され、品質制御装置画像サーバ２から所定の規格に変換された紙面イメージデータを、基準輪転機６のデバイスプロファイル（紙面イメージデータと測色値との関係を定義したデータベース、ＩＣＣプロファイルも含まれる。本実施形態ではＩＣＣプロファイルで記載している）に基づいて、印刷機６の印刷結果を、発色状態を含めて模擬した表示画像情報に変換し、模擬表示絵柄画像としてモニタ７ａに表示する。即ち、基準輪転機のデバイスプロファイル（ＩＣＣプロファイル）とモニタのデバイスプロファイル（ＩＣＣプロファイル、測色値とモニタ出力値との関係を定義したデータベース）を用いて紙面イメージデータに対応した基準輪転機の色をモニタ７ａに映し出す。なお、「測定色値」とは、測色計１６により実際に測色された値のみならず、これに相当する値についても表記する。
【００３０】
また、モニタ７ａには、このような印刷機６の印刷結果を模擬した画像表示のほか、表示画像を選定したり、表示画像の色調を変更したりするタッチパネルとしても機能するようになっている。つまり、図１，図３に示すように、まず、印刷する絵柄（記事，写真，広告等）のページを選定するためのページ番号表示［図３（ａ）参照］と、表示画面の色調を変更するためにボリュウムキー表示［図３（ｂ）参照］と、決定釦表示［図３（ｃ）参照］とを選択できるようになっている。もちろん、ページ番号，ボリュウムキー，決定釦の全て又は一部を同時に表示してもよい。
【００３１】
表示するボリュウムキーは、図３（ｂ）に示すように、印刷機のインキ色、つまり、Ｋ（クロ；墨），Ｃ（シアン；藍），Ｍ（マゼンタ；紅），Ｙ（イエロー；黄）の４つのボリュームキーが並べて表示され、モニタ７ａの表示パネルボリュームキーにタッチして移動させることでその移動位置に応じたインキ供給量の状態に調整できるようになっている。そして、各ボリュームキーを操作することで、該当するインキの供給量の調整した場合の各インキ色のインキ膜厚（ベタ濃度）の変化に応じたモニタ７ａの表示画像の色調が変更されるようになっている。
【００３２】
つまり、以下のようにして、モニタ７ａに印刷の色が映し出される。
予め、インキ膜厚（ベタ濃度）変化に対応する複数の前記印刷機のデバイスプロファイル［各インキ膜厚（ベタ濃度）に対して、紙面イメージデータと測色値との関係を定義したデータベース（ＩＣＣプロファイル）］を求めおき、これら複数の印刷機デバイスプロファイルから、各ボリュームキー操作によるインキ膜厚（ベタ濃度）変化に対応する印刷機のデバイスプロファイル（ICCプロファイル）が選択される。
【００３３】
紙面イメージデータを、この選択された印刷機デバイスプロファイルに作用させることにより、紙面イメージデータを、インキ膜厚（ベタ濃度）変化に対応する測色値に変換させることができる。
そして、こうして変換された測色値が、前記のモニタデバイスプロファイル［測色値とモニタ出力値との関係を定義したデータベース（ＩＣＣプロファイル）］を用いて変換すると、測色値に対応したモニタの出力値が算出されることになる。これにより、インキ膜厚（ベタ濃度）変化に対応したモニタ力値が求められ、このモニタの出力値に応じた色がモニタ７ａに映し出される。
【００３４】
この結果、モニタには印刷機の紙面イメージデータに対する測色値と等価な色合いが映し出されることとなる。
この例では、各インキ色とも、±０．２Ｄ（Ｄ：density）の範囲で濃度（例えば、基準濃度）に対して調整できるようになっている。また、オペレータに調整レベルを分かりやすくするため相対目盛り（＋１０，−１０）が表示されている。前記±０．２Ｄを＋１０，−１０に正規化したもの。また前記±０．２Ｄに限定することはなく、印刷機で印刷できる範囲内の濃度変化であればその濃度変化でもよい。
【００３５】
また、この場合、Ｋ，Ｃ，Ｍ，Ｙの４つのインキ色のインキ膜厚変化（ベタ濃度変化）とモニタ７ａ上でのＲ，Ｇ，Ｂの輝度とデバイスプロファイルとの相関関係に基づいて、各インキの供給量に応じたインキ膜厚変化（ベタ濃度変化、インキ供給量変化）に対応する画像表示を行なうことができる。インキ膜厚はインキ供給量によって変化するし、ベタ濃度は、図１３に示すように、インキ膜厚変化によって変化する。よって、インキ膜厚、ベタ濃度、インキ供給量は対応関係にある。
【００３６】
なお、各インキの供給量は、図１４に示すように、インキの印刷紙面上膜厚（ベタ濃度）及び絵柄面積率（画線率）に対応するが、本装置では、印刷機６のインキキーゾーン毎に各インキの供給量の調整を行なえるように、モニタ７ａの表示画面には、画像表示にインキキーゾーンに対応させた補助線（図１の表示画面中に示す破線）を付加して表示するようになっている。
【００３７】
ここでは、印刷シミュレーションの開始とともに、モニタ７ａには図３（ａ）に示すようなページ番号が表示され、これにより、いずれかの頁番号を押す（タッチする）と、モニタ７ａにその頁の印刷模擬画像が表示されるとともに、ボリュウムキーが表示され、ボリュウムキーを操作することで、表示画像の色調が変化し、決定釦を押す（タッチする）ことでその時のインキ供給量調整情報（インキ膜厚、インキ供給量、ベタ濃度調整情報、インキ供給量調整の模擬情報）が出力されるようになっている。
【００３８】
演算装置７ｂは、コンピュータにより構成され、所定のプログラムに従って機能する各機能要素として、インキ供給量演算部７０ａと、ＣＭＳ変換機能を有する画像情報生成部７０ｂとをそなえている。ここで言うＣＭＳ変換機能とは、前記印刷機のデバイスプロファイルとモニタのデバイスプロファイルを参照して、印刷機の色と同じ色をモニタ上に映し出すデータ変換機能である。なお、画像情報生成部７０ｂでは、モニタ７ａの画面に表示する模擬表示絵柄の画像を生成しこの生成した画像情報をモニタ７ａに出力しモニタ７ａに画像表示させる。この際、モニタ７ａに表示すべき絵柄データがインキ色系の情報（ｃ，ｍ，ｙ，ｋ）の場合には、モニタ系の発色情報にＣＭＳ変換する。例えば、印刷機デバイスプロファイルを用いてインキ色系の情報（ｃ，ｍ，ｙ，ｋ）が色座標（Ｌ＊ａ＊ｂ＊）に変換され、さらに、モニタデバイスプロファイルを用いて色座標（Ｌ＊，ａ＊，ｂ＊）からモニタ系の発色情報（Ｒ，Ｇ，Ｂ）に変換される。
【００３９】
また、画像情報生成部７０ｂは、上記のボリュームキー［図３（ｂ）参照］を通じたキーゾーン毎のインキ供給量の模擬調整に対応して、このインキ供給量調整によるインキ膜厚変化に対応したインキ色のベタ濃度変化を模擬して、モニタ１２に出力される模擬表示絵柄の発色状態を補正する機能（発色補正手段）７１をそなえている。
さらに、この発色補正手段７１には、インキ供給量に対する発色特性［印刷機のインキ供給量の調整に対するインキ色のインキ膜厚変化（図１４参照）］、及びベタ濃度変化の特性（図１３参照）に基づいて、模擬表示絵柄の各インキ供給ゾーンの発色状態を補正する機能に加えて、模擬表示絵柄における隣接するインキ供給ゾーンの境界付近では、この境界でのインキ膜厚（濃度）の変化を低減する処理［インキ膜厚（濃度）変化低減処理］を行なう機能［インキ膜厚変化（濃度変化）低減処理部］７２がそなえられている。このインキ膜厚変化（濃度変化）低減処理については後述する。
【００４０】
演算装置７ｂには、上流システムから、絵柄（製版）データのうちの、各インキ色［ｋ（ブラック；墨），ｃ（シアン；藍），ｍ（マゼンタ；紅），ｙ（イエロー；黄）］の分版絵柄データ（紙面イメージデータ、製版データ、画像データ等）として、各インキ色の印刷絵柄の各部の絵柄情報（階調情報、網点面積率情報）ｃ，ｍ，ｙ，ｋを取得し、印刷開始時には、例えば図１５に示すように、予め設定されている絵柄データ（階調、網点面積率、画線率）とインキ供給量との対応関係に基づいて、事前に、印刷機のインキ供給状態をプリセット指令することもできる。
【００４１】
なお、印刷機には、インキ供給状態を調整する調整要素として、インキキー開度，インキ元ローラ回転数，デジタルインキポンプの吐出量，及び版胴回転数に対するインキ呼出ローラの呼び出し回数が設けられているが、ここでは、インキキー開度を調整するものとする。もちろん、インキ供給状態の調整には、インキキーの開度，インキ元ローラの回転数，及び版胴回転数に対するインキ呼出ローラの呼び出し回数といった各調整要素の何れか、或いは、これらを組み合わせて用いればよいが、インキキーは印刷幅方向に多数設けられており、インキキー単位幅（キーゾーン、インキ供給ゾーン）毎にインキ供給状態を調整できることから、本実施形態ではインキキー開度を用いている。
【００４２】
〔インキ膜厚変化（濃度変化）低減処理〕
ところで、本印刷シミュレーション装置（印刷模擬装置）及びこれを用いた及び印刷シミュレーション方法（印刷模擬方法）の大きな特徴は、各インキ供給ゾーンの隣接するインキ供給ゾーンとの境界付近で、この境界でのインキ膜厚変化（濃度変化）を低減するインキ膜厚変化（濃度変化）低減処理（濃度補正）を行なう点である。
【００４３】
これについて説明すると、このインキ膜厚変化（濃度変化）低減処理では、図４（ａ）に示すように、互いに隣接するキーゾーンの境界を中心に、キーゾーンのこの境界近傍を、更に、印刷幅方向に細分割する。ここでは、一例として各キーゾーンの境界近傍をそれぞれ4分割する例を示すが、分割数はこの限りではない。
この細分割される領域が、濃度変化低減処理を行なう処理範囲となるが、この処理範囲は、印刷機のインキング装置の特性に応じて設定する。このインキング装置の特性とは、インキ供給源からキーゾーン単位で供給されたインキが、印刷幅方向に均されていく特性であり、この特性を最も左右するのは、インキング装置に備えられるインキローラのうち軸方向に揺動する揺動ローラの揺動ストロークであるので、ここでは、一例として境界からこの揺動ストロークに応じた距離までの範囲を処理範囲としている。
【００４４】
また、この例の場合は、揺動ローラの揺動ストローク（一方の揺動端から他方の揺動端までの長さ）がキーゾーンの幅と略同様と想定し、キーゾーン境界からキーゾーンの幅方向中央までを処理範囲に設定している。このような処理範囲の設定は、隣接する各キーゾーンの幅方向中央間をそれぞれ個別に処理することができ、処理をシンプルにすることができるが、処理範囲はこれに限るものではなく、キーゾーン境界からキーゾーンの幅方向中央より手前までを処理範囲に設定してもよく、キーゾーン境界からキーゾーンの幅方向中央を超える領域までを処理範囲に設定してもよい。
【００４５】
そして、この処理範囲において、境界でインキ膜厚（濃度）に段差が生じないように、細分割された各部分の濃度を補正する。この場合、各キーゾーンの幅方向中央では設定した濃度（適宜補正した濃度）とし、ここからキーゾーン境界に近づくにしたがって隣接するキーゾーンの設定濃度に近づけて、キーゾーン境界では、両キーゾーンの各細分割領域が接近した濃度となるように補正する。
【００４６】
図４（ａ）に示す例では、左側のキーゾーンはインキ供給量を減少調整し、右側のキーゾーンはインキ供給量を増加調整した場合を示し、この結果、左側のキーゾーンでは調整したインキの発色濃度が基準の濃度（目標ベタ濃度）に対して低下し（低下量を０．１とする）、右側のキーゾーンでは調整したインキの発色濃度が基準の濃度（目標ベタ濃度）に対して上昇する（上昇量を０．１とする）。
【００４７】
したがって、左側のキーゾーンでは、キーゾーンの幅方向中央でインキの発色濃度が目標濃度に対して低下量０．１だけ低下し、右側のキーゾーンに行くに従ってインキの発色濃度が上昇し、キーゾーン境界では両キーゾーンの平均濃度［（０．１−０．１）／２＝０］となる。また、右側のキーゾーンでは、キーゾーンの幅方向中央でインキの発色濃度が目標濃度に対して上昇量０．１だけ上昇し、左側のキーゾーンに行くに従ってインキの発色濃度が低下し、キーゾーン境界では両キーゾーンの平均濃度［（０．１−０．１）／２＝０］となる。
【００４８】
このように、キーゾーン境界に近づくに従って両キーゾーンの濃度を接近させる方法としては種々のものがあり、最もシンプルには、両キーゾーンの濃度を線形に結んでしまう線形パターン［図４（ｂ），図５（ａ）参照］が考えられる。
一方、より実際の発色特性に近い補正パターンとして、キーゾーン境界の近傍では変化率が大きく、キーゾーン境界から離隔するにしたがって変化率が小さくなる特性を有する非線形パターン［図４（ｂ），図５（ｂ）参照］が考えられる。この非線形パターンでは、インキ濃度が幅方向に連続的（曲線的）に変化する例を示しているが、非線形パターンとしては、必ずしも連続的（曲線的）に変化するものに限らない。
【００４９】
本実施形態では、予め複数の補正パターンをデータベース３０に記憶させておき、使用する印刷機の種別やキーゾーンの画線率等の条件に応じて、データベース３０から対応する補正パターンを選び出して補正（濃度変化低減処理）を実施するようになっている。
例えば、隣接キーゾーン間の濃度差が所定値以下の場合には、図４（ｂ），図５（ａ）に示すような線形パターンを用い、隣接キーゾーン間の濃度差が所定値以上の場合には、図４（ｂ），図５（ｂ）に示すような非線形パターンを用いるなどの設定も可能である。さらに、非線形パターンを用いる場合も、隣接キーゾーン間の濃度差に応じて異なる非線形パターンを選択的に用いることもできる。
【００５０】
また、濃度変化低減処理のための濃度補正量をキーゾーン境界からの距離に対して規定した濃度変化低減関数［例えば、図４（ｂ），図５（ａ）線形パターンの関数、或いは図４（ｂ），図５（ｂ）に示す非線形パターンの関数、以下「ぼかし関数」ともいう］を、揺動ローラの揺動幅、印刷速度、インキ特性等の各印刷条件に応じて複数備え、印刷機により実際に行なう印刷条件に応じて、濃度変化低減関数を選択して濃度変化低減処理を行なうこともできる。
【００５１】
この場合に、ぼかし関数は、印刷した印刷物をスキャナで取り込んで得られる情報に基づいて設定することもできる。印刷のベタ濃度を変化させてスキャナの測色値と同じになるベタ濃度変化を求めればよい。
あるいは、印刷紙面の巾方向（天地／左右の左右方向）に帯状のベタ或いは網点面積率がベタに近い高網点面積率（例えば網点面積率７０％）の帯を含む絵柄をモニタ画面上に表示させて、前記境界付近の印刷紙面上のインキ膜厚変化に対応した印刷紙面上のインキ濃度変化を確認した結果に基づいて設定することもできる。この場合、実際に印刷絵柄を印刷し、実際の印刷物とモニタ上での再現との比較を行なことにより、インキキー供給ゾーン境界付近のぼかし具合（ぼかし関数）を設定すればより適切な関数を設定することができる。
【００５２】
〔印刷シミュレーションの手順〕
印刷シミュレーションの際には、モニタ上で再現する色をキーゾーン毎のインキ膜厚（ベタ濃度、キー開度）変化に応じて変更することが必要になるが、この場合、図７（ａ）に示すように、まず、キーゾーン毎にインキ膜厚（ベタ濃度、キー開度）変化に応じて、これに対応したキーゾーン部分の発色値を補正する（ステップａ１０）。次に、各キーゾーンの隣接したキーゾーンとのインキ膜厚（濃度）の変化を低減する処理［インキ膜厚変化（濃度変化）低減処理］を実施し（ステップａ２０）、この後、インキ膜厚変化（濃度変化）低減処理を加えた発色補正の結果をモニタ画像に表示する（ステップａ３０）。
【００５３】
このときのインキ膜厚変化（濃度変化）低減処理（ステップａ２０）は、図７（ｂ）に示すように、まず、各キーゾーンの領域（処理範囲）をｎ分割に細分割し（ステップｂ１０）、次に、細分割したかかる領域（処理範囲）に適用する濃度補正パターンを設定する（ステップｂ２０）。例えば、対象の処理範囲が、隣接キーゾーン間の濃度差が所定値以下の場合には、線形パターンを用い、隣接キーゾーン間の濃度差が所定値以上の場合には、隣接キーゾーン間の濃度差に応じた非線形パターンを選択して設定する。
【００５４】
そして、この濃度補正パターンに応じて、各細分割領域の濃度を補正し（ステップｂ３０）、各領域（処理範囲）のモニタ画像を計算し（ステップｂ４０）、全領域のモニタ画像を生成する（ステップｂ５０）。
この結果、インキ膜厚変化（濃度変化）低減処理を行なう前には、図１０に示すように、キーゾーンの境界で濃度が不連続であった模擬表示絵柄の画像は、図１１に示すように、キーゾーンの境界で濃度が連続的なものになり、実際の印刷機のインキ供給ゾーン毎のインキ供給量調整をより忠実に模擬してモニタ画面に表示することができ、発色状態のマッチング判断をより正確に行なうことができる。
【００５５】
〔印刷シミュレーションによる発色補正及び目標濃度値の設定〕
本実施形態では、このような印刷シミュレーション装置７を用いて、実際の印刷を行なうことなしに、印刷機６によって印刷を行なう際の目標濃度値（目標ベタ濃度）を設定する。以下、この目標濃度値の設定の手順について図６を参照して説明する。
【００５６】
本実施形態では、予め、客先から図２に示すような印刷見本（持ち込みゲラ）２０が持ち込まれており、オペレータはモニタ７ａに表示されたページ番号からこの持ち込みゲラ２０に対応した頁番号を選択する（ステップｓ１０）。演算装置７ｂは、選択された頁について基準輪転機６のＩＣＣプロファイルを用いて発色状態をシミュレーションして図１に示すように印刷絵柄をモニタ７ａに表示する（ステップｓ２０：表示ステップ）。このように、紙面イメージデータに基準輪転機６のＩＣＣプロファイルを用いて変換することで基準輪転機６の色調で該当ページが表示されるため、印刷機による印刷結果が模擬的に表示されることになる。なお、このＩＣＣプロファイルを用いて変換した色調とは、当然ながら、基準輪転機６のインキ供給量を標準状態とした場合、つまり、標準インキ膜厚とした場合のものである。
【００５７】
オペレータは、持ち込みゲラ２０を参照しながらモニタ７ａに表示された該当ページの色調が持ち込みゲラ２０のものに近づくようにボリュウムキーを操作しながら色合わせ（発色補正）をする（ステップｓ３０：発色補正ステップ）。この色合わせは、例えば、画像表示に付加して表示されたインキキーゾーンに対応した補助線を用いながら、インキキーゾーン毎に各色について行なう。
【００５８】
このとき、演算装置７ｂは、ボリュウムキー操作、即ち、インキ膜厚（ベタ濃度）の変更に対応して、キーゾーン毎のＩＣＣプロファイルを選択し、逐次発色をシミュレーションしてモニタ７ａに出力する（ステップｓ４０）。
オペレータは、モニタ７ａの表示色調が持ち込みゲラ２０のものに十分に近づいたと判断したら、モニタ画面の決定釦を押す（ステップｓ５０）。これにより、この時のインキ供給量調整情報（インキ供給量調整の模擬情報つまり、基準インキ膜厚からのインキ膜厚変化、基準ベタ濃度からのベタ濃度変化、基準インキ膜厚相当を供給するインキ供給量からのインキ供給量調整の情報）、即ち、各インキ色の変更したベタ濃度値が印刷自動制御装置８（オペレーションターミナルパソコン３）に出力され（ステップｓ６０）、印刷自動制御装置８では、このインキ供給量調整の模擬情報に応じて印刷機６によって印刷を行なう際の目標ベタ濃度値Ｄｃ，Ｄｍ，Ｄｙ，Ｄｋを設定し、色調を自動で制御する（ステップｓ７０：目標濃度設定ステップ及び印刷制御ステップ）。この色調の自動制御については後述する。
【００５９】
なお、図２中に示すΔＥ*は色見本（ここでは持ち込みゲラ２０）と擬似印刷画像或いは擬似印刷の結果に基づく本印刷との色の誤差であり、ΔＥ*＜３の「３」は、色の誤差のレベルを示し、ここでは、数値が小さいほど誤差が小さいものとする。
【００６０】
〔目標濃度の設定〕
なお、通常のＩＣＣプロファイルを作成するには、例えば図９（ａ）に示すように、基準輪転機に対し、基準濃度でカラースケール（ＩＳＯ１２６４２等）を印刷し（ステップｃ１０）、カラースケールの網点面積率に対する発色(Ｘ，Ｙ，Ｚ，Ｌ*ａ*ｂ*， Ｌｕｖなどの色座標値）を計測し（ステップｃ２０）、ステップｅ２０で得たデータを市販のプロファイル作成ツールで読み取ってＩＣＣプロファイルを作成する（ステップｃ３０）。
【００６１】
キーゾーンに対応したＩＣＣプロファイルを作成するには、図８に示すように、印刷絵柄をインキキーのキーゾーンに対応した領域ＩＣＣ１〜ＩＣＣ８に区分する。そして、図９（ｂ）に示すように、ＣＭＹＫ各色のベタ濃度（インキ膜厚）を基準ベタ濃度（基準インキ膜厚）から±ＡＤ変化させ、この変化分に対するＩＣＣプロファイルデータベースを持っておく（ステップｄ１０）。インキ膜厚は実測することが難しいが、濃度であれば濃度計を用いて簡単に計測できる。そして、所定のベタ濃度（例えば、ベタ濃度がＣ＋０．１０Ｄ，Ｍ＋０．０３Ｄ，Ｙ−０．０５Ｄ，Ｋ０．００）の時のステップｄ１０のデータベース群からＩＣＣプロファイルを選択する（ステップｄ２０）。
【００６２】
つまり、本実施形態では、各キーゾーン領域について、上記の印刷シミュレーションによるＣＭＹＫ各色のインキ供給量の模擬変更（つまり、インキ膜厚の変更）によってインキの色（発色濃度）が変更するが、このインキ供給量の模擬変更量に応じた発色濃度の変化を基準ベタ濃度からの変化量を得て、予め用意した、各色の変化量の組み合わせからなる多数組のＩＣＣプロファイルから模擬変更量に応じた変化量の組み合わせのＩＣＣプロファイルを選択して使用することにより、模擬変更量を目標濃度の設定に反映させている。
【００６３】
このように、印刷シミュレーションに基づいて目標濃度値（インキ膜厚、インキ供給量）を設定することにより、実際に印刷を行なうことなく、印刷開始前に、発色特性にかかる目標濃度値（インキ膜厚、インキ供給量）を設定することができ、しかも、目標濃度値（インキ膜厚、インキ供給量）を最適値に近く設定することができるので、実際の印刷開始当初から適切な発色に印刷することが可能になる。即ち、事前色合わせが可能となる。
【００６４】
〔印刷機の絵柄色調制御方法及び装置〕
以下、上記目標濃度変更にかかる印刷前確認技術を用いた印刷機の絵柄色調制御について図１６を参照して説明する。
まず、絵柄色調制御の原理から説明すると、図１６に示すように、まず、印刷シミュレーションより得られた目標ベタ濃度を取得する（ステップｅ１０）。印刷中の印刷物の色を計測し（ステップｅ２０）、この計測された印刷中の印刷物の測色値から該印刷物の各インキのベタ濃度を計算する（ステップｅ３０）。次に、各インキの目標ベタ濃度と印刷物のインキベタ濃度との偏差（インキベタ濃度偏差）を計算し（ステップｅ４０）、このインキベタ濃度偏差に対応してインキ供給量（つまり、インキキー開度）を計算し（ステップｅ５０）、この計算されたインキ供給量（インキキー開度）に応じてインキ供給量（インキキー開度）を制御する（ステップｅ６０）。
【００６５】
〔作用及び効果〕
本実施形態にかかる印刷機の印刷模擬装置及び方法これを用いた色調制御方法および装置は、上述のように構成されるので、実際の印刷を行なうことなく色調制御の目標となる目標ベタ濃度Ｄｃ，Ｄｍ，Ｄｙ，Ｄｋを適切に設定することができ、印刷機の立ち上がり直後（ＯＫシート後）から色調制御を実施することができる。
【００６６】
特に、インキ膜厚（濃度変化）低減処理を行なう前には、図１０に示すように、キーゾーンの境界で濃度が不連続であった模擬表示絵柄の画像は、図１１に示すように、キーゾーンの境界で濃度が連続的なものになり、実際の印刷機のインキ供給ゾーン毎のインキ供給量調整をより忠実に模擬してモニタ画面に表示することができ、発色状態のマッチング判断をより正確に行なうことができる。
【００６７】
したがって、インキ膜厚（濃度変化）低減処理を、印刷機のインキング装置の特性に応じた処理範囲において、中でも、キーゾーンの境界から、インキローラのうち軸方向に揺動する揺動ローラの揺動ストロークに応じた距離までの範囲において行なうので、実機のインキ供給ゾーン毎のインキ供給量調整をより忠実に模擬表示することができる。
また、例えば、隣接キーゾーン間の濃度差が所定値以下の場合には、線形パターンを用いても実際の印刷結果に対応させることができるので、よりシンプルに制御を実施することができ、隣接キーゾーン間の濃度差が所定値以上の場合には、隣接キーゾーン間の濃度差に応じた非線形パターンを選択することにより、適宜、複雑なパターンを持ちながら実際の印刷結果に対応させて印刷模擬表示を行なうことができる。
【００６８】
なお、図１０，図１１に示すように、ここでの表示画像には、絵柄の下（上でもよい）に、使用するインキ毎に、各キーゾーンに分けたカラーパッチを付属して表示しており、これにより、各インキの各キーゾーンでの濃度差をよりシンプルに比較検討できる。
そして、この印刷模擬技術を用いた色調制御方法および装置によれば、目標ベタ濃度Ｄｃ，Ｄｍ，Ｄｙ，Ｄｋは、印刷機６の特性に基づいてシミュレーション画面を実際の色見本（持ち込みゲラ）２０に色合わせすることで設定されるので、印刷機の立ち上がり直後から色見本（持ち込みゲラ）２０に合った色調に制御することが可能になる。
【００６９】
（その他）
以上、本発明の実施形態について説明したが、本発明は上述の実施形態に限定されない。
例えば、図１０に示すような濃度変化低減処理を行なう前のキーゾーンの境界で濃度が不連続な模擬表示絵柄の画像と、図１１に示すよう濃度変化低減処理を行なった後のキーゾーンの境界で濃度が連続となった模擬表示絵柄の画像とを、選択的に表示できるように、表示切替スイッチを設けると、あえて、濃度変化低減処理を行なう前の画像を選択して、各キーゾーンの濃度差を比較検討することもできる。
【図面の簡単な説明】
【００７０】
【図１】本発明の一実施形態にかかる印刷機の印刷摸擬装置及び印刷色調管理装置の要部構成図である。
【図２】本発明の一実施形態にかかる印刷システムを示す図である。
【図３】本発明の一実施形態にかかる印刷シミュレーション装置のモニタを説明する図である。
【図４】本発明の一実施形態にかかる印刷摸擬方法を説明する図であり、（ａ）は模擬表示にかかるキーゾーン（インキ供給ゾーン）の拡大図であり、（ｂ）は濃度変化低減処理の特性をキーゾーンに対応させて示すグラフである。
【図５】本発明の一実施形態にかかる印刷摸擬方法における濃度変化低減処理の変換処理テーブルの例を示す図であり、（ａ）は線形パターンを示し、（ｂ）は非線形パターンを示す。
【図６】本発明の一実施形態にかかる印刷摸擬の手順を説明するフローチャートである。
【図７】本発明の一実施形態にかかる印刷摸擬方法を説明するフローチャートであり、（ａ）は発色補正フローを示し、（ｂ）は発色補正フロー内の濃度変化低減処理フローを示す。
【図８】本発明の一実施形態にかかるＩＣＣプロファイルの作成を説明するための絵柄図である。
【図９】本発明の一実施形態にかかるＩＣＣプロファイルの作成を説明するためのフローチャートである。
【図１０】本発明の一実施形態にかかる濃度変化低減処理前の模擬表示絵柄の画像を示す図である。
【図１１】本発明の一実施形態にかかる濃度変化低減処理後の模擬表示絵柄の画像を示す図である。
【図１２】本発明の課題を説明する図であって、（ａ）は模擬表示絵柄の画像を示し、（ｂ）は実際の印刷絵柄を示す。
【図１３】本発明の一実施形態にかかるインキ膜厚とベタ濃度との対応関係を示すグラフである。
【図１４】本発明の一実施形態にかかるインキの供給量とインキの印刷紙面上膜厚（ベタ濃度）と絵柄面積率（画線率）との対応関係を示すグラフである。
【図１５】本発明の一実施形態にかかる絵柄データ（階調、網点面積率、画線率）とインキ供給量との対応関係を示すグラフである。
【図１６】本発明の一実施形態にかかる色調制御の処理フローを示すフローチャートである。
【符号の説明】
【００７１】
１  客先の製版側ＣＴＰサーバ
２  品質制御装置画像サーバ
３  オペレーションターミナルパソコン
４  ＣＣＳ（カラーコントロールシステム）パソコン
５  品質制御装置
６  新聞輪転機（新聞用オフセット輪転機、単に印刷機ともいう）
７  印刷シミュレーション装置（絵柄色調制御用印刷模擬装置）
７ａ  モニタ
７ｂ  演算装置
８  印刷自動制御装置
９  スキャナ
１０  ウェブ
１１  給紙部
１２  印刷部
１３  ウェブパス部
１４  折機
１５  排紙部
１６  測色計（検出手段）
１７  輪転機制御装置
７１  発色補正手段
７２  濃度変化低減処理部
【図１】
2010017902.tif 000003
【図２】
2010017902.tif 000004
【図３】
2010017902.tif 000005
【図４】
2010017902.tif 000006
【図５】
2010017902.tif 000007
【図６】
2010017902.tif 000008
【図７】
2010017902.tif 000009
【図８】
2010017902.tif 000010
【図９】
2010017902.tif 000011
【図１３】
2010017902.tif 000012
【図１４】
2010017902.tif 000013
【図１５】
2010017902.tif 000014
【図１６】
2010017902.tif 000015
【図１０】
2010017902.tif 000016
【図１１】
2010017902.tif 000017
【図１２】
2010017902.tif 000018